(57)【要約】【課題】  走行音の低減による騒音特性の向上及びスライダ本体の滑らかな作動性を実現するとともに、転動体通過振動の低減による運動制動の向上を図ることが可能な直動案内装置を提供する。【解決手段】  ベアリングブロック２Ａの転動体軌道溝１１の端部に、所定の曲率半径Ｒで曲面形状としたクラウニング２４を設けている。このクラウニング２４のクラウニング量Ｃは、転動体転動路１４内で、予圧や外部荷重によって弾性変形している転動体Ｂの最大弾性変形量Ｈmaxより大きな値（Ｃ  ＞  Ｈmax）に設定されている。このようにすると、ベアリングブロック２Ａに大きな荷重が作用したり、こじり等で大きな取付け誤差が生じた場合であっても、転動体軌道溝１１の端部側を転動する転動体Ｂの弾性変形量がクラウニング量Ｃより大きくならず転動体Ｂが円滑に転動する。したがって、著しい騒音レベル、振動レベルの悪化や作動性の悪化を防止することができる。【選択図】        図３
2006250166.tif 000002
【特許請求の範囲】
【請求項１】
軸方向に沿う側面にレール側転動体軌道溝を設けた案内レールと、前記レール側転動体軌道溝に対向するスライダ側転動体軌道溝を有し、これらレール側転動体軌道溝及びスライダ側転動体軌道溝の間に形成した転動体転動路内に配設された複数の転動体の転動を介して軸方向に移動可能となるように前記案内レールに支持されたスライダ本体と、前記転動体転動路と略平行となるように前記スライダ本体内に設けた転動体戻し路と、前記スライダ本体の移動方向の両端部に取付けられ、前記転動体戻し路の端部と前記転動体転動路の端部とを連通する半円弧状の転動体循環路の外周側循環溝を形成しているエンドキャップと、このエンドキャップと前記スライダ本体との間に介装され、前記外周側循環溝と対向する位置に前記転動体循環路の内周側循環溝を形成しているリターンガイドと、前記スライダ側転動体軌道溝の両端部に設けたクラウニングと、を備えた直動案内装置において、
前記クラウニングのクラウニング量を、前記転動体転動路を転動する前記転動体の最大の弾性変形量より大きな値に設定したことを特徴とする直動案内装置。
【請求項２】
軸方向に沿う側面にレール側転動体軌道溝を設けた案内レールと、前記レール側転動体軌道溝に対向するスライダ側転動体軌道溝を有し、これらレール側転動体軌道溝及びスライダ側転動体軌道溝の間に形成した転動体転動路内に配設された複数の転動体の転動を介して軸方向に移動可能となるように前記案内レールに支持されたスライダ本体と、前記転動体転動路と略平行となるように前記スライダ本体内に設けた転動体戻し路と、前記スライダ本体の移動方向の両端部に取付けられ、前記転動体戻し路の端部と前記転動体転動路の端部とを連通する半円弧状の転動体循環路の外周側循環溝を形成しているエンドキャップと、このエンドキャップと前記スライダ本体との間に介装され、前記外周側循環溝と対向する位置に前記転動体循環路の内周側循環溝を形成しているリターンガイドと、前記スライダ側転動体軌道溝の両端部に設けたクラウニングと、を備えた直動案内装置において、
前記クラウニングのクラウニング量を、前記転動体の直径の１．５％以下の値に設定したことを特徴とする直動案内装置。
【請求項３】
前記クラウニング量を、前記転動体の直径の０．３％以上としたことを特徴とする請求項２記載の直動案内装置。
【請求項４】
前記クラウニングを、所定の曲率半径で湾曲する曲面形状とするとともに、前記曲率半径を、転動体の直径の２０倍以上に設定したことを特徴とする請求項２又は３記載の直動案内装置。
【請求項５】
前記クラウニングの端部と、この端部に連続している前記リターンガイドの内周側循環溝の溝端部との間に、段差解消部を設けたことを特徴とする請求項１乃至４の何れかに記載の直動案内装置。
【請求項６】
少なくとも前記スライダ側転動体溝及びクラウニングとの境界部分に、ホーニング加工を施したことを特徴とする請求項１乃至５の何れかに記載の直動案内装置。
【発明の詳細な説明】
【技術分野】
【０００１】
本発明は、直動案内装置に関する。
【背景技術】
【０００２】
ころやボール等の転動体を内部で無限循環させながら被案内物を直線的に案内する直動案内装置は、半導体製造装置や超精密加工機械，超精密測定機器等の運動精度に大きな影響を与える重要な機械要素の一つである。
直動案内装置は、レール側転動体軌道溝を設けた案内レールと、レール側転動体軌道溝に対向するスライダ側転動体軌道溝を設け、このスライダ側転動体軌道溝及びレール側転動体軌道溝の間に形成した転動体転動路内に配設された複数の転動体の転動を介して軸方向に移動可能となるように案内レールに支持されたスライダ本体とを備えた装置である。そして、この装置は、転動体転動路と略平行となるようにスライダ本体内に設けた転動体戻し路と、スライダ本体の移動方向の両端部に取付けられ、転動体戻し路の端部と前記転動体転動路の端部とを連通する半円弧状の転動体循環路の外周側循環溝を形成したエンドキャップと、このエンドキャップとスライダ本体との間に介装され、外周側循環溝と対向する位置に転動体循環路の内周側循環溝を形成しているリターンガイドとを備えている。
【０００３】
直動案内装置の転動体が、転動体転動路、転動体循環路及び転動体戻し路を無限循環する際には、周期的な微小振動（以下、転動体通過振動という）が発生し、前述した機器類の運動精度を大きく左右してしまう。前記転動体通過振動は、予圧や外部荷重によって負荷を受けながら転動体転動路（負荷域）を転動している転動体が、負荷域から転動体循環路（無負荷域）に出る際に負荷が開放されたり、また反対に、無負荷域から負荷域に進入する際に新たに負荷を負うことにより現れる。
【０００４】
この転動体通過振動の抑制には、転動体転動路を形成しているスライダ側転動体軌道溝の両端部にクラウニング加工を施すことにより、転動体の負荷域出入りに伴う負荷変動を徐々に行わせることで対応している（例えば、特許文献１）。
【特許文献１】特開平０４-５４３１０号公報（第１１図、第１５図）
【発明の開示】
【発明が解決しようとする課題】
【０００５】
しかしながら、上述した直動案内装置は、スライダ本体に大きな荷重が作用したり、こじり等で大きな取付け誤差が生じた場合に、騒音レベル、振動レベルや作業性が悪化しやすいという問題がある。
そこで、本発明は上記事情に鑑みてなされたものであり、走行音の低減による騒音特性の向上及びスライダ本体の滑らかな作動性を実現するとともに、転動体通過振動の低減による運動制動の向上を図ることが可能な直動案内装置を提供することを目的としている。
【課題を解決するための手段】
【０００６】
本出願人は、直動案内装置の騒音特性及び作動性について鋭意研究した結果、以下のことが判明した。
すなわち、直動案内装置の騒音特性及び作動性の悪化は、スライダ本体のスライダ側転動体軌道溝の両端部に形成したクラウニングのクラウニング量と、転動体の弾性変形量とに相関があるという知見を得た。ここで、クラウニング量とは、転動体とスライダ側転動体軌道溝の接触角方向の接触位置におけるスライダ側転動体軌道溝の逃げ量である。
【０００７】
クラウニング量と転動体の弾性変形量との相関についてさらに説明すると、従来の装置は、負荷容量の低下を最小限に抑えるため、或いは予圧量の値を基としたため、クラウニング量を転動体の直径の０．１５％以下程度としており、スライダ本体に大きな荷重が作用したり、こじり等で大きな取付け誤差が生じると、クラウニングを形成したスライダ側転動体軌道溝の端部側での転動体の弾性変形量がクラウニング量以上となり、転動体の円滑な転動が妨げられて騒音が大きくなるのである。なお、騒音は、転動体の列の隙間を僅かに設定した場合や、転動体の間に保持ピースを介装して転動体間のピッチを一定とした場合は、より顕著に発生する。
【０００８】
そこで、本願請求項１記載の直動案内装置は、軸方向に沿う側面にレール側転動体軌道溝を設けた案内レールと、前記レール側転動体軌道溝に対向するスライダ側転動体軌道溝を有し、これらレール側転動体軌道溝及びスライダ側転動体軌道溝の間に形成した転動体転動路内に配設された複数の転動体の転動を介して軸方向に移動可能となるように前記案内レールに支持されたスライダ本体と、前記転動体転動路と略平行となるように前記スライダ本体内に設けた転動体戻し路と、前記スライダ本体の移動方向の両端部に取付けられ、前記転動体戻し路の端部と前記転動体転動路の端部とを連通する半円弧状の転動体循環路の外周側循環溝を形成しているエンドキャップと、このエンドキャップと前記スライダ本体との間に介装され、前記外周側循環溝と対向する位置に前記転動体循環路の内周側循環溝を形成しているリターンガイドと、前記スライダ側転動体軌道溝の両端部に設けたクラウニングと、を備えた直動案内装置において、前記クラウニングのクラウニング量を、前記転動体転動路を転動する前記転動体の最大の弾性変形量より大きな値に設定した。
【０００９】
また、請求項２記載の発明は、軸方向に沿う側面にレール側転動体軌道溝を設けた案内レールと、前記レール側転動体軌道溝に対向するスライダ側転動体軌道溝を有し、これらレール側転動体軌道溝及びスライダ側転動体軌道溝の間に形成した転動体転動路内に配設された複数の転動体の転動を介して軸方向に移動可能となるように前記案内レールに支持されたスライダ本体と、前記転動体転動路と略平行となるように前記スライダ本体内に設けた転動体戻し路と、前記スライダ本体の移動方向の両端部に取付けられ、前記転動体戻し路の端部と前記転動体転動路の端部とを連通する半円弧状の転動体循環路の外周側循環溝を形成しているエンドキャップと、このエンドキャップと前記スライダ本体との間に介装され、前記外周側循環溝と対向する位置に前記転動体循環路の内周側循環溝を形成しているリターンガイドと、前記スライダ側転動体軌道溝の両端部に設けたクラウニングと、を備えた直動案内装置において、前記クラウニングのクラウニング量を、前記転動体の直径の１．５％以下の値に設定した。
【００１０】
また、請求項３記載の発明は、請求項２記載の直動案内装置において、前記クラウニング量を、前記転動体の直径の０．３％以上とした。
また、請求項４記載の発明は、請求項２又は３記載の直動案内装置において、前記クラウニングを、所定の曲率半径で湾曲する曲面形状とするとともに、前記曲率半径を、前記転動体の直径の２０倍以上に設定した。
【００１１】
また、請求項５記載の発明は、請求項１乃至４の何れかに記載の直動案内装置において、前記クラウニングの端部と、この端部に連続している前記リターンガイドの内周側循環溝の溝端部との間に段差解消部を設けた。
さらに、請求項６記載の発明は、請求項１乃至５の何れかに記載の直動案内装置において、少なくとも前記スライダ側転動体溝及びクラウニングとの境界部分に、ホーニング加工を施した。
【発明の効果】
【００１２】
本発明の直動案内装置によると、スライダ側転動体軌道溝の端部に転動体の最大の弾性変形量より大きなクラウニングを設けたことで、予圧や外部荷重によって負荷を受けながら転動体転動路（負荷域）を転動している転動体が、転動体循環路（無負荷域）に出る際に負荷が開放されたり、また反対に、無負荷域から負荷域に進入する際に新たに負荷を負うときに負荷変動が徐々に行われるので、転動体通過振動の低減による運動制動の向上を図ることができ、著しい騒音レベル、振動レベルの悪化や作動性の悪化を防止することができる。また、スライダ本体に大きな荷重が作用したり、こじり等で大きな取付け誤差が生じた場合であっても、上記のクラウニング量を設定し、最適なクラウニング形状としたことから転動体が負荷域及び無負荷域を円滑に転動するので、負荷容量の低下を抑えつつ著しい騒音レベル、振動レベルの悪化や作動性の悪化を防止することができる。
【発明を実施するための最良の形態】
【００１３】
本発明に係る直動案内装置の実施形態について、図面を参照しながら説明する。
図１は、直動案内装置の外観を示すものである。この直動案内装置は、案内レール１上に、門型形状のスライダ２が移動可能に組み付けられている。この案内レール１の上面と側面１ａとが交差する稜線部には、軸方向に延びる略１／４円弧形状の凹溝からなる転動体軌道溝１０が形成されている。また、案内レール１の両側面１ａの中間位置にも、軸方向に延びる断面ほぼ半円形の凹溝からなる転動体軌道溝１０が形成されている。
【００１４】
スライダ２は、スライダ２の本体をなすベアリングブロック２Ａと、その軸方向両端部に着脱可能に取り付けられた門型形状のエンドキャップ２Ｂとで構成されており、さらに、スライダ２の両端部（各エンドキャップ２Ｂの端面）には、案内レール１とスライダ２との間の隙間の開口をシールするサイドシール５がそれぞれ装着されている。
図２に示すように、ベアリングブロック２Ａの両袖部６の内側面の角部には、案内レール１の転動体軌道溝１０に対向する断面ほぼ半円形の転動体軌道溝１１が形成され、両袖部６の内側面の中央部には、案内レール１の転動体軌道溝１０に対向する断面ほぼ半円形の転動体軌道溝１１が形成されている。
【００１５】
そして、案内レール１の転動体軌道溝１０とベアリングブロック２Ａの両袖部６の転動体軌道溝１１とで４箇所の転動体転動路１４が形成されており、これらの転動体転動路１４は軸方向に延びている。また、スライダ２は、ベアリングブロック２Ａの袖部６の肉厚部分の上部及び下部に、転動体転動路１４と平行に軸方向に貫通した円形の貫通孔からなる転動体戻し路１３を備えている。
【００１６】
ここで、図３は、本発明に係る第１実施形態を示すものである。
エンドキャップ２Ｂは、図３に示すように、ベアリングブロック２Ａとの当接面側に、半円弧状の外周側循環溝１６を設けている。また、図３の符号１８で示す部材は、ベアリングブロック２Ａとエンドキヤップ２Ｂとの間に介装されたリターンガイドであり、このリターンガイド１８の外周には、外周側循環溝１６に対向する位置に内周側循環溝２０を設けている。これら外周側循環溝１６及び内周側循環溝２０が、転動体転動路１４と転動体戻し路路１３とを連通させる転動体循環路２２となっており、この転動体循環路２２内を転動する転動体Ｂを転動体転動路１４の終点から転動体戻し路１３の始点へ送り、或いは、転動体戻し路１３の終点から転動体転動路１４の始点へ送るようになっている。
【００１７】
そして、本実施形態では、図３に示すように、ベアリングブロック２Ａの転動体軌道溝１１の端部に、所定の曲率半径Ｒで曲面形状としたクラウニング２４を設けている。このクラウニング２４の符号Ｃで示している寸法が、転動体Ｂと転動体軌道溝１１の接触角方向の接触位置における転動体軌道溝１１の逃げ量を示すクラウニング量である。
また、図３において転動体転動路１４内の実線で示す転動体Ｂは、予圧や外部荷重によって弾性変形している状態を示すものである。変形荷重が加わっていないときの転動体Ｂ（破線で示す転動体）の直径をＤ、実線のように転動体Ｂが最大に弾性変形しているときの直径をＬ１とすると、転動体Ｂの最大弾性変形量Ｈmaxは、以下の式で求められる。
Ｈmax  ＝  Ｌ１  −  Ｄ          ……（１）
ここで、本実施形態では、クラウニング２４のクラウニング量Ｃを、転動体Ｂの最大弾性変形量Ｈmaxより大きな値に設定している（Ｃ  ＞  Ｈmax）。
【００１８】
本実施形態では、転動体軌道溝１１の端部にクラウニング２４を設けたことで、予圧や外部荷重によって負荷を受けながら転動体転動路１４（負荷域）を転動している転動体Ｂが、負荷域から転動体循環路２２（無負荷域）に出る際に負荷が開放されたり、また反対に、無負荷域から負荷域に進入する際に新たに負荷を負うときに、負荷変動が徐々に行われるので、転動体通過振動の低減による運動制動の向上を図ることができ、著しい騒音レベルの悪化や作動性の悪化を防止することができる。
【００１９】
そして、直動案内装置は、各方向からの荷重やモーメントが複合して作用したり、取付け誤差がある状態で使用されることもあり、その大きさの許容値の目安としては、走行距離寿命（疲労による剥離寿命）を元に複合荷重や取付け誤差をラジアル方向の負荷荷重に換算し、その場合の許容値を、動定格荷重の２０％以下とするのが一般的であり、長寿命を要求される場合でのその値は、動定格荷重の１０％以下とするのが一般的である。しかしながら、従来の直動案内装置のスライダ本体に設けたクラウニングのクラウニング量は、ラジアル方向に動定格荷重の２０％の外力が作用したときの転動体の最大弾性変形量よりも小さい値としていたので、騒音レベルの悪化や作動性の悪化を生じる可能性があった。
【００２０】
それに対して、本実施形態では、クラウニング２４のクラウニング量Ｃを、転動体Ｂの最大弾性変形量Ｈmaxより大きな値に設定したことで、ベアリングブロック２Ａに大きな荷重が作用したり、こじり等で大きな取付け誤差が生じた場合であっても、転動体軌道溝１１の端部側を転動する転動体Ｂの弾性変形量がクラウニング量Ｃより大きくならず転動体Ｂが円滑に転動するので、著しい騒音レベルの悪化や作動性の悪化を防止することができる。
さらに、本実施形態の騒音特性と耐久性の両立を考慮した直動案内装置を使用することにより、稼働前のテーブル体の稼働で騒音が発生した場合は、著しい取付け誤差や負荷荷重によって寿命の大幅な低下等の耐久性に悪影響を及ぼすことが見込まれ、本格的な稼働の前に取付け誤差の発生の有無等を検知することも可能となる。
【００２１】
次に、本発明に係る第２実施形態について、前述した図３と図４及び図５を参照しながら説明する。
本実施形態では、クラウニング２４の長手方向の曲率半径Ｒを１０００mmとし、クラウニング量Ｃを転動体Ｂの直径Ｄに対して０．７５％に設定した。
そして、ベアリングブロック２Ａにローリング方向に大きな取付け誤差（０．００１rad）を設けて騒音レベルを実測したところ、取付け誤差がない場合と比較して、騒音レベルの上昇値を従来の装置では１２ｄＢ（Ａ）であったのに対し、本実施形態では１ｄＢ（Ａ）に抑えることがわかった。
【００２２】
また、図４は、ベアリングブロック２Ａにローリング方向に０．００１radの取付け誤差を設け、クラウニング２４のクラウニング長さＬ２を一定にし、クラウニング量Ｃを変化させて騒音レベル及び負荷容量の割合（クラウニングを設けていない従来装置の負荷容量を１とし、この従来装置に対して本実施形態の装置のクラウニング量を変化させたときの負荷容量の割合）を計測した騒音測定と、寿命の計算結果を示すグラフである。
【００２３】
図４に示すグラフの横軸は、クラウニング量Ｃを、転動体Ｂの直径Ｄに対する割合（％）で示している。
一般的に、騒音レベルが５ｄＢ（Ａ）以上であると、人間の間隔でも音の大きさの有意差を確認することができることから、図４に示すように、騒音レベルが５ｄＢ（Ａ）未満となるように、クラウニング量Ｃを転動体直径に対して０．３％以上とすることが望ましい。
【００２４】
しかし、クラウニング量Ｃが増大すると、騒音上昇が小さくなるが、所定の値を境として負荷容量が低下して直動案内装置の寿命が低下してくる。すなわち、クラウニング量Ｃを１．５％より大きな値にすると、負荷容量が８０％以下となって直動案内装置の寿命が大幅に低下してくることがわかる。これは、クラウニング量Ｃを１．５％より大きな値にすると、クラウニング長さＬ２が長くなることで転動体軌道溝１１の有効長Ｌ３を十分に確保することができず、負荷を受ける転動体の数が減少するので、転動体転動路１４の負荷容量が従来装置に対して８０％以下となり、耐久性が大幅に低下するからである。このため、直動案内装置の寿命の面から考えると、クラウニング量Ｃを１．５％以下とすることで、負荷容量の低下を最小限に抑え、従来の装置と比較して８０％以上の負荷容量の確保が可能となる。
したがって、クラウニング量Ｃを、０．３％〜１．５％の範囲に設定すると、騒音特性が向上すると同時に、耐久性の低減を最小限に抑えた直動装置を提供することができる。
【００２５】
また、図５は、ベアリングブロック２Ａにローリング方向に大きな取付け誤差（０．００１rad）を設け、例えばクラウニング量Ｃを０．７５％とし、クラウニング２４の曲率半径Ｒを変化させて振動レベルを計測した実験結果のグラフである。
このグラフから明らかなように、クラウニング２４の曲率半径Ｒが、転動体Ｂの直径Ｄの２０倍以上となると、振動レベルが大幅に低減していく。ここで、曲率半径Ｒが大きいと、ラウニング長さＬ２が長くなることで転動体軌道溝１１の有効長Ｌ３を十分に確保することができないので、クラウニング２４の曲率半径Ｒは転動体Ｂの直径Ｄの８００倍を上限とすることが望ましい。
【００２６】
次に、図６は、本発明に係る第３実施形態を示すものである。
本実施形態では、クラウニング２４の端部に平面的に延在する面取り部２６を形成し、前記端部と連続するリターンガイド１８の内周側循環溝２０の溝端部との間に僅かな凹みを設けている。この面取り部２６の長さは、転動体Ｂの直径以下に設定されている。また、転動体軌道溝１１とクラウニング２４との境界部２８には、ホーニング加工が施されている。
【００２７】
本実施形態では、クラウニング２４の端部に面取り部２６を形成したことで、クラウニング２４とリターンガイド１８の内周側循環溝２０との間の連続部分での、大きな段差の解消やベアリング端面に装着する循環部品（エンドキャップ、リターンガイド）の位置ズレの吸収、或いは鋼球（転動体）等の他部品との干渉を防止することができ、転動体転動路１４、クラウニング２４及び転動体循環路２２との間を転動体Ｂが円滑に転動する。また、転動体軌道溝１１とクラウニング２４との境界部２８にホーニング加工を施したことで、転動体転動路１４及びクラウニング２４の間を転動体Ｂが円滑に転動する。したがって、騒音特性をさらに向上させることができる。
【００２８】
なお、上述した面取り部２６に限らず、曲面的に延在する面取り部であってもよい。また、面取り部２６の他に、クラウニング２４の端部に別形状のクラウニングを形成したり、リターンガイド１８とともに同時に加工する部分を設けてもよい。
また、第１〜第３実施形態で示したクラウニング２４は、所定の曲率半径Ｒで湾曲した曲面形状としているが、平面的に延在するクラウニングであっても、同様の効果を奏することができる。
【００２９】
また、図１及び図２では、案内レール１の両側とベアリングブロック２Ａの両袖部６との間に２箇所ずつの転動体転動路１４を形成した構造を示したが、１箇所ずつの転動体転動路１４を形成しても、同様の作用効果を奏することができる。
また、上記実施形態のクラウニング量Ｃは、転動体Ｂと転動体軌道溝１１の接触角方向の接触位置における転動体軌道溝１１の逃げ量であるが、加工の都合上、例えば２列同時に転動体転動溝１１にクラウニング加工を行う場合には、クラウニング量Ｃを転動体転動溝１１の溝底の変化量に換算し、その値を管理するようにすると、同様の効果を得ることができる。
【図面の簡単な説明】
【００３０】
【図１】本発明に係る直動案内装置を示す斜視図である。
【図２】直動案内装置の構成部材であるベアリングブロックを示す平面図である。
【図３】図２のＡ−Ａ線矢視図であり、本発明に係る１実施形態を示すものである。
【図４】クラウニング量を変化させて騒音レベル及び寿命低下率の変化を計測した実験結果のグラフである。
【図５】クラウニング２４の曲率半径を変化させて振動レベルを計測した実験結果のグラフである。
【図６】本発明に係る他の実施形態を示す図である。
【符号の説明】
【００３１】
１    案内レール
２    スライダ
２Ａ  ベアリングブロック（スライダ本体）
２Ｂ  エンドキヤップ
１０  転動体軌道溝（レール側転動体軌道溝）
１１  転動体軌道溝（スライダ側転動体軌道溝）
１３  転動体戻し路
１４  転動体転動路
１６  外周側循環溝
１８  リターンガイド
２０  内周側循環溝
２２  転動体循環路
２４  クラウニング
２６  面取り部（段差解消部）
２８  転動体転動溝とクラウニングの境界部
Ｂ    転動体
Ｃ    クラウニング量
【図１】
2006250166.tif 000003
【図２】
2006250166.tif 000004
【図３】
2006250166.tif 000005
【図４】
2006250166.tif 000006
【図５】
2006250166.tif 000007
【図６】
2006250166.tif 000008